(57)【要約】【課題】引出しフレームの変形を防止でき、天板の傾斜の角度を調節することができるデスク天板及び引出しフレームの装着構造に関する。【解決手段】天板１１０と、その下部側に上面と前面が解放され、内部に収納空間１２１が設けられた引出しフレーム１２０と、床から前記天板と前記引出しフレームを支持する支持フレーム１３０で構成されたデスクにおいて、前記引出しフレームの縁には複数個の連結孔１１を形成した固定バー１が設けられ、前記固定バーの下部側には両側に前記支持フレームを形成した支持棒２が挿入、固定される挿入溝１２が設けられ前記支持棒には前記連結孔と対応する締結孔２２が形成され、前記ボルトが挿入されナット１５０で締結されるように形成され、前記天板と支持フレーム間には用途によって天板支持フレーム間の角度を調節できるようにする傾斜調節手段１９０がさらに設けられたことを特徴とする。【選択図】      図１
2004358071.tif 000002
【特許請求の範囲】
【請求項１】
ボルト（１４０）が挿入される複数の挿入孔（１１１）が両側に形成された天板（１１０）と、その下部側に上面と前面が解放され、内部に収納空間（１２１）が形成された引出しフレーム（１２０）と、床から前記天板（１１０）と引出しフレーム（１２０）を支持する支持フレーム（１３０）で構成されたデスク（１００）において；
前記引出しフレーム（１２０）の橡には複数個の連結孔（１１）を形成した固定バー（１）が設けられ、前記固定バー（１）の下部側には両側に前記支持フレーム（１３０）を形成した支持棒（２）が挿入、固定される挿入孔（１２）が形成され、支持棒（２）には前記連結孔（１１）と対応する締結孔（２２）が形成され前記ボルト（１４０）が挿入されナット（１５０）で締結されるように形成され、前記天板（１１０）と支持フレーム（１３０）間には用途によって天板（１１０）と支持フレーム（１３０）間の角度を調節できるようにする傾斜調節手段（１９０）がさらに設けられたことを特徴とするデスクの天板及び引出しフレームの装着構造。
【請求項２】
第１項において；
前記挿入溝（１２）には、その底端の両側に締結突起（１２ａ）が突出するように形成されたことを特徴とするデスクの天板及び引出しフレームの装着構造。
【請求項３】
第１項において；
前記支持棒（２）は、その端で前記引出しフレーム（１２０）の外側を支持する補強棒（２１）を具備したことを特徴とするデスクの天板及び引出しフレームの装着構造。
【請求項４】
第１項において；
前記固定バー（１）は前記天板（１１０）の底面と当接する帝分をラウンド（Ｒ）加工処理したことを特徴とするデスクの天板及び引出しフレームの装着構造。
【請求項５】
第１項において；
前記引出しフレーム（１２０）にはその底面に前記補強棒（２１）が挿入、密着される複数の内蔵溝（３）を形成したことを特徴とするデスクの天板及び引出しフレームの装着構造。
【請求項６】
第１項において；
前記傾斜調節手段（１９０）は天板（１１０）の一側挿入孔（１１１）に設けられた第１ヒンジ片（１８２）及び前記第１ヒンジ片（１８２）が対応される支持フレーム（１３０）に設けられ、第１ヒンジ片（１８２）とピン（１８６）で締結される第２ヒンジ片（１８４）で成るヒンジ部（１８０）と、天板（１１０）の他側挿入孔（１１１）と支持フレーム（１３０）間に設けられ天板（１１０）の他側端部が前記ヒンジ部（１８０）を中心に上側方向に回転された後、固定されるようにする調節部（１７０）が含まれたことを特徴とするデスクの天板及び引出しフレームの装着構造。
【請求項７】
第６項において；
前記調節部（１７０は）、天板（１１０）の挿入孔（１１１）に設けられ下側方向に延長された第１固定片（１７１）と、前記第１固定片（１７１）と対応する支持フレーム（１３０）の側面に設けられ、上側方向に延長され、上端に孔部が形成された第２固定片（１７２）と、上側海部は第１固定片（１７１）に回転自在に連結され、下側端部は第２固定片（１７２）の側面にスライド自在に定置され、中央に長孔（１７３ａ）が形成され長孔（１７３ａ）の一側に複数偶の溝部（１７３ｂ）が形成された調節片（１７３）と、前記溝部（１７３ｂ）に挿入され第２同定片（１７２）の孔部に挿入され天板（１１０）が支持されるようにする固定ピン（１７４）が含まれたことを特徴とするデスクの天板及び引出しフレームの装着構造。
【請求項８】
第７項において；
前記固定ピン（１７４）は外側端部に孔部が形成され、前記孔部に補助ピン（１７４ａ）が挿入され固定ピン（１７４）の離脱が防止できるようにしたことを特徴とするデスクの天板及び引出しフレームの装着構造。
【発明の詳細な説明】
【０００１】
【発明が属する技術分野】
本発明はデスクの天板及び引出しフレームの装着構造に関するものにして、さらに詳しくはデスクの引出しフレームが支持棒にボルト、ナットの締結以外に別途の局定作業なしに相互固定されながら、前記引出しフレームの変形を防止できるようにし、天板と支持棒との間には傾斜調節手段が設けられ、使用目的によって天板の傾斜の角度を調節することにより、用途に適合した住用を可能ならしめたデスク天板及び引出しフレームの装着構造に関するものである。
【０００２】
【従来の技術】
一般的に、デスクは作業または学習ができる天板と所持品または本等を保管し得る収納空間が設けられた引出しフレームと、前記引出しフレームを床から支持する支持フレームで構成される。
従来に前記デスクの構成要素等間の締結構造は図９に示した通り；
木材質で形成された天板（１１０）の底面に収納空間（１２１）が設けられたフレーム（１２０）がビスまたはリベットで固定され、相互締結された前記天板（１１０）と前記引出しフレーム（１２０）は支持フレーム（１３０）にボルト、ナットで固定するように形成されている。
【０００３】
【発明が解決しようとする課題】
しかしながら、前記引出しフレーム（１２０）を前記天板（１１０）に複数のビスまたはリベットで締結することにより、組立て、分解作業が煩わしくさらに手間がかかる等の問題点があり、前記天板（１１０）の底面にはビスまたはリベット作業による損傷が生ずることにより、前記天板（１１０）の上面が損傷した時、裏返して任用することができない問題点もあった。
【０００４】
さらに、前記のような問題点を解決する為に前記引出しフレーム（１２０）をビスまたはリベットの締結無しに前記支持フレーム（１３０）の上面に具備し、その上に前記天板（１１０）を具備して前記天板（１１０）と前記支持フレーム（１３０）を相互ボルト、ナットで同定するように形成した。
【０００５】
しかしながら、前記引出しフレーム（１２０）が前記天板（１１０）又は前記支持フレーム（１３０）に別途で固定されないことにより、外部の衝撃により前記引出しフレーム（１２０）と前記天板（１１０）又は前記支持フレーム（１３０）に間隙が生じ、このことにより前記引出しフレーム（１２０）が破損するばかりでなく、ボルト、ナットの締結力が著しく減少し、前記天板（１１０）と前記支持フレーム（１３０）が分離される等の問題点がしばしば発生した。
【０００６】
さらに、前記の通り締結された前記引出しフレーム（１２０）は大部分がプラスチック（ＰＶＣ）材質で形成され、外部の気軽変化により短期間で変形することにより、前記引出しフレーム（１２０）を取替える等の問題点があった。
従って、前記天板（１１０）が引出しフレーム（１２０）と共に、支持フレーム（１３０）にボルトとナットにより装着することにより、天板（１１０）と支持フレーム（１３０）は互いに直交するように配置され、その角度を調節することができないため、使用者が図面作業やスケッチ作業等のような作業を行う時には、天板の角度が調節される製図デスクを別途で設置しなければならない等の問題点があった。
【０００７】
【発明が解決しようとする課題】
ここに本発明は前記のような問題点を解決するために案出されたものにして、その目的はデスクの引出しフレームが支持フレームにボルト、ナットの締結以外には、別途の固定作業無しで相互堅固に取付けられるデスクを供給するところにある。
さらに、本発明の他の目的は前記天板の底面に前記引出しフレームが当接する面積を少なくするところにある。
さらに、本発明の他の目的は補強棒が前記引出しフレームにさらに密着、固定されるようにするところにある。
さらに、本発明の他の目的は天板の支持フレームにその傾斜角度が調節可能に取付けるところにある。
さらに、本発明の他の目的は支持フレームの長さが任用者の操作により調節できるようにし、使用者の成長程度に合わせてデスクの高さが調節できるようにするところにある。
【０００８】
【課題を解決するための手段】
前記のような目的を達成するために、本発明はボルトが挿入される複数の挿入孔が両側に形成された天板と、その下部側に上面と前面が解放され内部に収納空間が設けられた引出しフレームと、床から前記天板と前記引出しフレームを支持する支持フレームとで構成されたデスクにおいて、前記引出しフレームの縁には複数個の連結孔を形成した固定バーが設けられ、前記固定バーの下部側には両側に前記支持フレームを形成した支持棒が挿入、固定される挿入溝が形成され、前記支持棒には前記連結孔と対応する締結孔が形成され、前記ボルトが挿入されナットで締結するように形成され、前記天板と支持フレーム間には用途によって、天板と支持フレーム間の角度を調節できるようにする傾斜調節手段がさらに設けられたことを特徴とする。
【０００９】
すなわち、本発明のデスクの天板及び引出しフレームの装着構造は、以下に述べる特徴を有する。
１．  ボルト（１４０）が挿入される複数の挿入孔（１１１）が両側に形成された天板（１１０）と、その下部側に上面と前面が解放され、内部に収納空間（１２１）が形成された引出しフレーム（１２０）と、床から前記天板（１１０）と引出しフレーム（１２０）を支持する支持フレーム（１３０）で構成されたデスク（１００）において；
前記引出しフレーム（１２０）の橡には複数個の連結孔（１１）を形成した固定バー（１）が設けられ、前記固定バー（１）の下部側には両側に前記支持フレーム（１３０）を形成した支持棒（２）が挿入、固定される挿入孔（１２）が形成され、支持棒（２）には前記連結孔（１１）と対応する締結孔（２２）が形成され前記ボルト（１４０）が挿入されナット（１５０）で締結されるように形成され、前記天板（１１０）と支持フレーム（１３０）間には用途によって天板（１１０）と支持フレーム（１３０）間の角度を調節できるようにする傾斜調節手段（１９０）がさらに設けられたことを特徴とする。
２．  前記挿入溝（１２）には、その底端の両側に締結突起（１２ａ）が突出するように形成されたことを特徴とする。
３．  前記支持棒（２）は、その端で前記引出しフレーム（１２０）の外側を支持する補強棒（２１）を具備したことを特徴とする。
４．  前記固定バー（１）は前記天板（１１０）の底面と当接する帝分をラウンド（Ｒ）加工処理したことを特徴とする。
５．  前記引出しフレーム（１２０）にはその底面に前記補強棒（２１）が挿入、密着される複数の内蔵溝（３）を形成したことを特徴とする。
６．  前記傾斜調節手段（１９０）は天板（１１０）の一側挿入孔（１１１）に設けられた第１ヒンジ片（１８２）及び前記第１ヒンジ片（１８２）が対応される支持フレーム（１３０）に設けられ、第１ヒンジ片（１８２）とピン（１８６）で締結される第２ヒンジ片（１８４）で成るヒンジ部（１８０）と、天板（１１０）の他側挿入孔（１１１）と支持フレーム（１３０）間に設けられ天板（１１０）の他側端部が前記ヒンジ部（１８０）を中心に上側方向に回転された後、固定されるようにする調節部（１７０）が含まれたことを特徴とする。
７．  前記調節部（１７０は）、天板（１１０）の挿入孔（１１１）に設けられ下側方向に延長された第１固定片（１７１）と、前記第１固定片（１７１）と対応する支持フレーム（１３０）の側面に設けられ、上側方向に延長され、上端に孔部が形成された第２固定片（１７２）と、上側海部は第１固定片（１７１）に回転自在に連結され、下側端部は第２固定片（１７２）の側面にスライド自在に定置され、中央に長孔（１７３ａ）が形成され長孔（１７３ａ）の一側に複数偶の溝部（１７３ｂ）が形成された調節片（１７３）と、前記溝部（１７３ｂ）に挿入され第２同定片（１７２）の孔部に挿入され天板（１１０）が支持されるようにする固定ピン（１７４）が含まれたことを特徴とする。
８．  前記固定ピン（１７４）は外側端部に孔部が形成され、前記孔部に補助ピン（１７４ａ）が挿入され固定ピン（１７４）の離脱が防止できるようにしたことを特徴とする。
【００１０】
【発明の実施の形態】
以下、本発明の好ましい実施例を添付した図面により説明すれば下記の通りである。
図１は本発明の分解斜視図を示したものにして、その構成を詳細に説明すれば；
デスク（１００）は学習及び作業ができる天板（１１０）とその下部側に上面と正面とが解放され、内部に収納空間（１２１）が形成された引出しフレーム（１２０）と前記引出しフレーム（１２０）に挿入、固定される支持棒（２）の両側に支持フレーム（１３０）が形成され、前記デスク（１００）が床から支持されるように構成され、ボルト（１４０）が前記引出しフレーム（１２０）と支持棒（２）が貫通され、その海部にナット（１５０）が締結されるので互いに固定され、前記天板（１１０）と支持フレーム（１３０）間に傾斜調節手段（１９０）が設けられ、天板（１１０）が使用者の操作により傾斜面を調節できるようにしたものである。
【００１１】
前記天板（１１０）は四角面体に形成され両側端にボルト（１４０）が挿入される挿入孔（１１１）が３つずつ各々形成され、上面一例の縁に支持突起（１１２）が突出され天板（１１０）が一定角度に傾斜を成す時に天板（１１０）に置かれた作業物が傾斜面に沿って下側にスライドするのを防止できるようにする。
前記引出しフレーム（１２０）はその底面に複数の内蔵溝（３）を形成し、縁面の外側には固定バー（１）が突出するように−体で形成され、前記固定バー（１）には複数個の連結孔（１１）を形成し、前記固定バー（１）には前記支持棒（２）が挿入される挿入幕（１２）が形成され、前記挿入蕎（１２）には前記支持棒（２）を固定する締結突起（１２ａ）が複数箇所に形成されるものの、前記のように形成された引出しフレーム（１２０）は射出加工により製造することもある。
【００１２】
前記支持棒（２）は前記固定バー（１）の前記挿入溝（１２）に挿入するように形成され、前記連結孔（１１）と対応する位置に締結孔（２２）を形成し、前記締結孔（２２）の間には係合鉤（２３）を具備するように形成される。
前記支持フレーム（１３０）は前記支持棒（２）の後方、偏芯される位置に下側方向に設けられ、内部が中空で外側面に複数偶の締結孔部が垂直方向に配列された延長部（１３２）、前記延長部（１３２）の内部へスライド可能に挿入され、前記支持棒（２）が床から支持できるように形成され、上端に孔部が形成され前記溝部が各々の締結孔部と対応するように定置され、ボルト及びナットで締結されながら高さの調節が可能な支持部（１３４）が含まれて構成される。
【００１３】
さらに、前記支持棒（２）の両端に補強棒（２１）が溶接等の方式で設けられ、前記補強棒（２１）は前記引出しフレーム（１２０）の下端に形成された前記内蔵溝（３）に挿入されるように形成される。
そこで、前記挿入溝（１２）に前記支持棒（２）を挿入し、前記ボルト（１４０）が前記連結孔（１１）と前記締結孔（２２）に挿入され、その端部でナット（１５０）が締結され、前記引出しフレーム（１２０）の装着が完了し、前記支持棒（２）が前記引出しフレーム（１２０）の上面に締結固定されることにより、従来デスクに形成された引出し構造よりさらに堅固に形成される。
【００１４】
図２は図１に伴う結合正面図に示された通り；
前記挿入溝（１２）に前記支持棒（２）を挿入すれば前記補強棒（２１）が前記内蔵溝（未図示）に挿入され前記引出しフレーム（１２０）が前記支持棒（２）に設けられ、前記天板（１１０）は前記収納空間（１２１）をカバーするように前記引出しフレーム（１２０）の上面に具備され形成される。
そこで、前記補強棒（２１）が前記引出しフレーム（１２０）の底面に形成された内蔵溝（未図示）に挿入されることにより、外部の：衝撃により前記引出しフレーム（１２０）が変形若しくは揺動の防止ができるのである。
【００１５】
図３は図２に伴うＡの要部拡大断面図に示した通り；
前記固定バー（１）の上面はラウンド（Ｒ）加工処理され、前記挿入溝（１２）の端両側に前記締結突起（１２ａ）がそれぞれ形成される。
そこで、前記ラウンド（Ｒ）加工処理された前記固定バー（１）は前記天板（１１０）の底面との当接面積を小さくすることにより、もしも前記天板（１１０）の上面が毀損された場合、裏返して再活用ができるようにするためである。
さらに、弾性力を有する前記挿入溝（１２）に前記支持棒（２）が嵌入されると、前記締結突起（１２ａ）が前記支持棒（２）をさらに堅く固定するようになり、従来、ビスまたはリベット等を用いて前記引出しフレーム（１２０）を堅伺に固定するための作業無しでも前記引出しフレーム（１２０）を堅固に締結でさるものである。
【００１６】
図４は本発明に伴う側面図に示した通り；
前記傾斜調節手段（１９０）は天板（１１０）の一例端部に形成された挿入孔（１１１）に下側方向に延長するように第１ヒンジ片（１８２）が設けられ、前記第１ヒンジ片（１８２）とピン（１８６）により結合される第２ヒンジ片（１８４）が補強棒（２１）に設けられて成るヒンジ部（１８０）と、天板（１１０）の他側の挿入孔（１１１）と支持フレーム（１３０）間に設けられ、天板（１１０）の他側端部が前記ヒンジ部（１８０）を中心に上側方向に回転された後で固定されるようにする調節部（１７０）が含まれて構成される。
【００１７】
図５は本発明に伴うＢの要部拡大断面図に図示され、図６は本発明に伴う背面拡大断面図に図示された通り；
前記第１ヒンジ片（１８２）及び第２ヒンジ片（１８４）は両側の端部が同一な方向に折曲げられその正面形状は一例面が解放された四角形状を成し、上面及び両側面に孔部が形成され上面に挿入されるボルトにより、第１ヒンジ片（１８２）は前記天板（１１０）の挿入孔（１１１）に締結され、第２ヒンジ片（１８４）は補強棒（２１）の側面に設けられ、各々の端部が交差するように配され、側面に形成された孔部にピン（１８６）が締結されることによりヒンジ結合される。
【００１８】
図７は本発明に伴うＣの要部拡大断面図に図示した通り；
前記調節部（１７０）は天板（１１０）の挿入孔（１１１）に設けられ下側方向に延長された第１固定片（１７１）と、前記第１固定片（１７１）と対応される支持フレーム（１３０）の側面に設けられ、上側方向に延長され上端に孔部が形成された第２固定片（１７２）と、上側」端部は第１固定片（１７１）に回転自在に連結され、下側端部は第２匡ｌ定片（１７２）の側面にスライド可能に配され、中央に長孔（１７３ａ）が形成され長孔（１７３ａ）の−側に複数個の溝部（１７３ｂ）が形成された調節片（１７３）と、前記溝部（１７３ｂ）に挿入され第２固定片（１７２）の孔部に締結されると調節片（１７３）の遊動を抑え天板（１１０）が一定角度を成し、固定されるようにする固定ピン（１７４）が含まれて構成される。
【００１９】
ここで、前記第１固定片（１７１）は図３に示した通り、１度目の折曲げにより上面及び側面に孔部が形成され、上面に形成される孔部は前記天板（１１０）の挿入孔（１１１）にボルトで締結され、側面に形成された孔部には前記調節片（１７３）がボルト及びナットにより回転自在に結合される。
さらに、前記第２固定片（１７２）は図３に示した通り、長い方が２度目の折曲げにより構成され、上端及び下端に孔部が形成され上端に形成された孔部には前記調節片（１７３）が固定ボルトにより結合され、下端に形成された孔部はボルト及びナットにより前記支持フレーム（１３０）の側面に固定される。
【００２０】
図８は本発明に伴う使用状態図に示した通り；
前記固定ピン（１７４）は調節片（１７３）の長孔（１７３ａ）にスライド自在に挿入され、前記第２固定片（１７２）の上端に形成された孔部に挿入され、前記長孔（１７３ａ）内部に形成された溝部（１７３ｂ）に係合すると、前記調節片（１７３）の遊動が制御されることにより、使用者が前記天板（１１０）をヒンジ部を中心に回転させ、他側端部が上側に移動するようにした後で前記固定ピン（１７４）を溝部（１７３ｂ）に挿入すると調節片（１７３）が固定され、天板（１１０）の傾斜が維持されるようにする。
さらに、前記固定ピン（１７４）は外側端部に孔部が形成され、この孔部に補助ピン（１７４ａ）が挿入されることにより、固定ピン（１７４）が前記固定片（１７３）の長孔（１７３ａ）及び固定片（１７３）の孔部から難脱するのを抑え使用者が定置した天板（１１０）の傾斜が安全に維持できるようにする。
【００２１】
【発明の効果】
上述した通り、本発明は天板の底面に収納空間と禄に固定部を形成した引出しフレームが具備され、前記固定部で挿入、固定される支持棒の両側で支持フレームが形成され、ボルトが前記引出しフレームと支持棒を貫通してナットで固定するように形成され、前記引出しフレームにはビスまたはリベット等の別途の固定作業無しに固定されることにより、デスクの組立てまたは分解作業が簡便となり、その作業時間が短縮される効果がある。
さらに、前記天板の底面で当接する固定バーの上面にはラウンド加工処理が行われ、これにより前記固定バーの当接面積を小さくして前記天板の底面が損傷されるのを最小化することにより、前記天板の上面が損傷した場合、底面を裏返して再活用できる効果がある。
【００２２】
また、支持棒の端には前記引出しフレームの底面を支持する補強棒が形成され、前記補強棒と対応する内蔵黄が引出しフレームの底面に形成され前記補強棒が前記引出しフレームに密着、固定されることにより、外部の衝撃による引出しフレームの変形や揺動を防止できる効果がある。
さらに、支持フレームは垂直方向に複数偶の締結孔部が形成された支持棒の下側に設けられた延長部と、前記延長部にスライド自在に設置され、ボルトにより結合される締結孔部によって支持フレームの長さが調節できるように支持部が含まれて成ることにより、使用者の成長程度によって適合した高さのデスクを成せ得る効果がある。
さらに、天板のｈ側端部と補強棒間に設けられ天板が回転自在に装着されるように、ヒンジ部と天板の他側端部と支持フレームの延長部間に設けられ、天板を上側に移動させ同定できるようにする調節部から成る傾斜調節手段が設けられることにより、作業内容に適合した天板の傾斜角度が調節できることから使用者の便宜を図る効果がある。
【図面の簡単な説明】
【図１】本発明の分解斜視図である。
【図２】図１に伴う結合正面図である。
【図３】図２に伴うＡの要部拡大断面図である。
【図４】本発明の側面図である。
【図５】図４に伴うＢの要部拡大図である。
【図６】図４に伴うＢの背面拡大断面図である。
【図７】図４に伴うＣの要部拡大図である。
【図８】本発明の作動状態図である。
【図９】従来のデスクを示した断面図である。
【符号の説明】
１：固定バー
２：支持棒
３：内蔵溝
１１：連結孔
１２：挿入溝
１２ａ：締結突起
２１：補強棒
２２：締結孔
２３：係合
１１０：天板
１１１：挿入孔
１１２：支持突起
１２０：引出しフレーム
１２１：収納空間
１３０：支持フレーム
１３２：延長部
１３４：支持部
１５０：ナット
１７１：第１固定片
１７３：調節片
１７３：溝部
１８０：ヒンジ部
１８４：第２ヒンジ片
１９０：傾斜調節手段
１４０：ボルト
１７０：調節部
１７２：第２固定片
１７３ａ：長孔
１７４：固定ピン
１８２：第１ヒンジ片
１８６：ピン
【図１】
2004358071.tif 000003
【図２】
2004358071.tif 000004
【図３】
2004358071.tif 000005
【図４】
2004358071.tif 000006
【図５】
2004358071.tif 000007
【図６】
2004358071.tif 000008
【図７】
2004358071.tif 000009
【図８】
2004358071.tif 000010
【図９】
2004358071.tif 000011